(57)【要約】【課題】  シャッタの開閉動作を迅速に行うことができ、しかも小型化に適したメディアカートリッジを提供する。【解決手段】  メディアカートリッジ１Ａを装填部に装填すると、ピニオンギヤ５の小径歯車５ｂが第２のラック１１に噛み合う。次に、ケース３をＹ２方向に押し込むと、小径歯車５ｂが第２のラック１１を転動する。このとき、大径歯車５ａがシャッタ６に設けられた第１のラック７を転動するが、シャッタ６は大径歯車５ａと小径歯車５ｂの径寸法比であるＲａ／Ｒｂ倍の速さで移動させられる。よって、シャッタ６をケース３の移動に先行して移動させることができ、シャッタ６の開閉動作を迅速に行うことができる。また、予めシャッタ６を退避させるための退避領域を、メディアカートリッジ１Ａ側に確保する必要がないため、メディアカートリッジ１Ａを小型化することができる。【選択図】図２
2010003327.tif 000002
【特許請求の範囲】
【請求項１】
記録媒体が収納されたケースと、前記ケースに対して相対的に移動するシャッタとを有し、前記ケースと前記シャッタとが閉鎖させられた状態で駆動装置の装填部に挿入されるメディアカートリッジであって、
前記ケースと前記シャッタとの間には、前記ケースと前記シャッタの一方が前記装填部に押し込まれたときに、他方を前記一方に先行して移動させる移動機構が設けられていることを特徴とするメディアカートリッジ。
【請求項２】
前記移動機構が、移動方向に沿って設けられた第１のラックおよび第２のラックと、前記第１のラックに噛み合って転動する大径歯車および前記第２のラックに噛み合って転動する小径歯車が形成されたピニオンギヤと、を有する請求項１記載のメディアカートリッジ。
【請求項３】
前記第１のラックが前記シャッタに設けられ、前記第２のラックが前記装填部に設けられ、前記ピニオンギヤが前記ケースに回転自在に設けられている請求項２記載のメディアカートリッジ。
【請求項４】
前記第１のラックが前記ケースに設けられ、前記第２のラックが前記装填部に設けられ、前記ピニオンギヤが前記シャッタに回転自在に設けられている請求項２記載のメディアカートリッジ。
【請求項５】
前記第１のラックが前記シャッタに設けられ、前記第２のラックが前記ケースに設けられ、前記ピニオンギヤが前記装填部に回転自在に設けられている請求項２記載のメディアカートリッジ。
【請求項６】
前記記録媒体が、光記録媒体である請求項１ないし５のいずれかに記載のメディアカートリッジ。
【請求項７】
少なくともメディアカートリッジが装填される装填部と、前記メディアカートリッジに収納された記録媒体を再生する再生機構とを有するメディアカートリッジ用の駆動装置であって、
前記メディアカートリッジは、前記記録媒体を収納するケースと、前記ケースに対して相対的に移動するシャッタを有しており、
前記装填部には、前記メディアカートリッジを前記装填部に押し込んだときに、前記ケースと前記シャッタの一方を他方に先行して移動させる移動機構が設けられていることを特徴とするメディアカートリッジ用の駆動装置。
【請求項８】
前記移動機構は、前記ケースに形成された第１のラックに噛み合う大径歯車と、前記シャッタに形成された第２のラックに噛み合う小径歯車とを有するピニオンギヤである請求項７記載のメディアカートリッジ用の駆動装置。
【請求項９】
前記ピニオンギヤが、前記装填部に回転自在に設けられている請求項８記載のメディアカートリッジ用の駆動装置。
【発明の詳細な説明】
【技術分野】
【０００１】
本発明は、光記録媒体などを収納するメディアカートリッジ及びその駆動装置に係わり、特にシャッタを備えたメディアカートリッジ及びその駆動装置に関する。
【背景技術】
【０００２】
特許文献１、２では、ディスク状のメディア（記録媒体）がカートリッジ内に収納されている。
【０００３】
カートリッジにはシャッタがスライド自在に設けられている。カートリッジを再生装置の装填部に挿入すると、シャッタが前記装填部側に設けられたシャッタ保持部材に保持されるため、カートリッジの挿入に合わせて前記シャッタが退避領域に相対的に移動させられる。このとき、カートリッジに設けられた開口部から前記メディアが露出される。
【特許文献１】特開平９−２１３０５３号公報
【特許文献２】特開２００３−２４２７３９号公報
【発明の開示】
【発明が解決しようとする課題】
【０００４】
上記のように、メディアがディスク型である場合には、前記シャッタによって隠されている開口部のみを部分的に開放させるだけで、前記メディアの再生が可能である。
【０００５】
一方、メディアがディスク型ではなく、例えば平面四角状の領域の全てが光記録媒体になっているような非ディスク型である場合には、前記シャッタが前記メディアの全面を覆う構成となる。このため、このようなメディアカートリッジでは、メディアの全面を露出させること、すなわちシャッタを全開状態にすることが必要である。しかし、シャッタを全開させる場合には、シャッタの移動距離が延びるため、操作者の負担を軽減しにくく、また開閉動作の迅速性が失われるという問題がある。
【０００６】
また特許文献２に記載のように、従来はシャッタを開閉するための開閉機構は、前記装填部側からシャッタの一部を弾性的に押圧し、カートリッジが移動している間、前記開閉機構とカートリッジとの間にシャッタを保持する構成である。このため、前記シャッタの開閉動作を安定させるために、シャッタ用の退避領域をカートリッジ側に確保しておく必要がある。前記退避領域は、非ディスク型の場合ではメディアが占める面積とほぼ同等の面積を必要とするため、前記メディアカートリッジの外形寸法を小型化し難いという問題がある。
【０００７】
本発明は、上記従来の課題を解決するためのものであり、シャッタの開閉動作を迅速に行えるメディアカートリッジを提供することを目的としている。
【０００８】
また本発明は、小型化に適したメディアカートリッジを提供することを目的としている。
【０００９】
また本発明はメディアカートリッジが装填されたときに、内部に収納されているメディアのほぼ全体を迅速に露出させることが可能なメディアカートリッジ用の駆動装置を提供することを目的としている。
【課題を解決するための手段】
【００１０】
本発明は、記録媒体が収納されたケースと、前記ケースに対して相対的に移動するシャッタとを有し、前記ケースと前記シャッタとが閉鎖させられた状態で駆動装置の装填部に挿入されるメディアカートリッジであって、
前記ケースと前記シャッタとの間には、前記ケースと前記シャッタの一方が前記装填部に押し込まれたときに、他方を前記一方に先行して移動させる移動機構が設けられていることを特徴とするものである。
【００１１】
本発明では、ケースを押し込むと、シャッタを前記ケースに先行して移動させることができる。またはシャッタを押し込むと、ケースを前記シャッタに先行して移動させることができる。このため、操作者が、手動によって一方をわずかに押し込むだけで、メディアカートリッジ内に収納されている記録媒体（メディア）を迅速に露出させることが可能となる。このため、操作者の負担を軽減できる。
【００１２】
上記においては、前記移動機構が、移動方向に沿って設けられた第１のラックおよび第２のラックと、前記第１のラックに噛み合って転動する大径歯車および前記第２のラックに噛み合って転動する小径歯車が形成されたピニオンギヤと、を有するものが好ましい。
【００１３】
上記手段では、簡単な構成で前記移動機構を構成することができる。
例えば、前記第１のラックが前記シャッタに設けられ、前記第２のラックが前記装填部に設けられ、前記ピニオンギヤが前記ケースに回転自在に設けられているものとして構成することができる。
【００１４】
上記手段では、ケースを押し込むと、シャッタをケースに先行して移動させることができる。
【００１５】
または、前記第１のラックが前記ケースに設けられ、前記第２のラックが前記装填部に設けられ、前記ピニオンギヤが前記シャッタに回転自在に設けられているものとして構成することができる。
【００１６】
上記手段では、シャッタを押し込むと、ケースをシャッタに先行して移動させることができる。
【００１７】
あるいは、前記第１のラックが前記シャッタに設けられ、前記第２のラックが前記ケースに設けられ、前記ピニオンギヤが前記装填部に回転自在に設けられているものとして構成することができる。
【００１８】
上記手段でも、ケースを押し込むと、シャッタをケースに先行して移動させることができる。
例えば、前記記録媒体が、光記録媒体であるものとして構成できる。
【００１９】
また本発明は、少なくともメディアカートリッジが装填される装填部と、前記メディアカートリッジに収納された記録媒体を再生する再生機構とを有するメディアカートリッジ用の駆動装置であって、
前記メディアカートリッジは、前記記録媒体を収納するケースと、前記ケースに対して相対的に移動するシャッタを有しており、
前記装填部には、前記メディアカートリッジを前記装填部に押し込んだときに、前記ケースと前記シャッタの一方を他方に先行して移動させる移動機構が設けられていることを特徴とするものである。
【００２０】
本発明では、装填部に装填したメディアカートリッジをわずかに押し込むだけで、メディアカートリッジを迅速に開くことができ、内部のメディアを露出させることが可能な駆動装置とすることができる。
【００２１】
例えば、前記移動機構は、前記ケースに形成された第１のラックに噛み合う大径歯車と、前記シャッタに形成された第２のラックに噛み合う小径歯車とを有するピニオンギヤで構成することができる。
【００２２】
この場合、前記ピニオンギヤが、前記装填部に回転自在に設けられているものが好ましい。
【発明の効果】
【００２３】
本発明のメディアカートリッジでは、カートリッジを装填部に装填したときに、シャッタまたはケースの一方を先行して移動させることができるため、開閉動作を迅速に行わせることができる。
【００２４】
また装填時の押し込み量を短くすることができるため、操作者に与える負担を軽減できる。
【００２５】
またシャッタを退避させる退避領域を必要としないため、小型のメディアカートリッジとすることができる。
【００２６】
また本発明のメディアカートリッジ用の駆動装置では、メディアカートリッジが装填されたときに、内部に収納されている記録媒体のほぼ全体を迅速に露出させることができる。
【発明を実施するための最良の形態】
【００２７】
図１は本発明の第１の実施の形態としてのメディアカートリッジを正面から見たときの部分断面図、図２は図１のメディアカートリッジの動作を段階的に示す図１のII−II線における断面図であり、Ａは装填部へ挿入直後の状態、Ｂは挿入途中の状態、Ｃは挿入終了時の状態を示している。
【００２８】
図１に示すように、このメディアカートリッジ１Ａは、メディア（記録媒体）２が有底のケース３に保持されている。
【００２９】
前記メディア２としては、光の干渉現象を利用して情報を記録・再生することが可能な光記録媒体（ホログラム）であり、例えば銀塩、重クロム酸ゼラチン、フォトポリマー、フォトレジストなどからなる感光材料で形成されている。
【００３０】
前記ケース３の側面３Ａには、貫通孔３ａが形成されており、この貫通孔３ａにはＸ方向に沿って水平に延びる支持軸４が挿通されている。そして、この支持軸４には、ピニオンギヤ５が回転自在に支持されている。前記ピニオンギヤ５は、大径歯車５ａと小径歯車５ｂとが一体的に形成された２段式のギヤである。
【００３１】
前記ケース３の上部にはシャッタ６が設けられている。前記シャッタ６は、前記ケース３に対し、図示しない機構を介して摺動自在（スライド自在）に支持されている。シャッタ６の移動方向は、前記紙面に対し直交する方向である。前記シャッタ６の下面には、紙面に対し直交する方向に延びる第１のラック７Ａが形成されている。
【００３２】
図１に示すように、前記ピニオンギヤ５は、前記シャッタ６の一方の側面６Ａと前記ケース３の側面３Ａとの間のスペースＳ内に設けられている。そして、前記ピニオンギヤ５の大径歯車５ａが前記第１のラック７Ａに噛み合わされている。このため、前記ピニオンギヤ５が回転すると、前記シャッタ６は前記紙面と直交する移動方向（Ｙ方向）にスライド移動することが可能である。
【００３３】
通常、前記メディアカートリッジ１Ａはシャッタ６が閉じられた閉鎖状態に設定されている、この状態では、メディア２は前記ケース３と前記シャッタ６との間に露出されることのない状態で保持されている。このため、塵埃などの侵入とメディア２の表面の傷付きを防止することが可能とされている。
【００３４】
図１に示すように、前記メディアカートリッジ１Ａは、メディア２を再生するための駆動装置の装填部１０に装填される。前記装填部１０には、前記移動方向（Ｙ方向）に延びる第２のラック１１Ａが形成されている。図２のＡに示すように、メディアカートリッジ１Ａを装填部１０に装填すると、前記ピニオンギヤ５の小径歯車５ｂが第２のラック１１Ａに噛み合う。
【００３５】
図２のＢに示すように、ここでケース３のみに押し込み力Ｆを与え、ケース３のみを図示Ｙ２方向に押し込むと、前記ピニオンギヤ５の小径歯車５ｂが第２のラック１１Ａ上を転動する。このとき、前記シャッタ６は、前記大径歯車５ａによって前記ケース３に先行して図示Ｙ２側の挿入方向に移動させられる。
【００３６】
これは、前記ピニオンギヤ５の構成として、前記大径歯車５ａのピッチ円の半径Ｒａが、小径歯車５ｂのピッチ円の半径Ｒｂよりも大きい（Ｒａ＞Ｒｂ）ことに基づくものである。すなわち、このピニオンギヤ５では、前記大径歯車５ａの回転速度が、小径歯車５ｂの回転速度のＲａ／Ｒｂ倍（Ｒａ／Ｒｂ＞１）の速さとなる。このため、前記大径歯車５ａとこれに噛み合う第１のラック７Ａとを介して移動するシャッタ６の移動速度を、前記ケース３の移動速度（押し込み速度）よりも速くすることができる。このため、本願発明では、図２のＣに示すように、前記メディアカートリッジ１Ａを挿入し、ケース３のみを一定時間押し入れたときに、前記ケース３が移動する移動距離をＬ１、このとき前記シャッタ６が移動する移動距離をＬ０とすると、前記移動距離Ｌ０を前記移動距離Ｌ１よりも長くすることができる。
【００３７】
したがって、装填部１０に装填したメディアカートリッジ１Ａの前記ケース３のみを、図示Ｙ２側の挿入方向にわずかに押し込むだけで、シャッタ６を大きく開放させることができる。すなわち、ケース３を、シャッタ６を全開させるのに必要な移動距離Ｌ０よりも少ない前記移動距離Ｌ１を移動させるだけで、シャッタ６を全開状態とすることができる。
【００３８】
このため、メディアカートリッジ１Ａを、短時間で全開状態とすることが可能となる。すなわち、メディアカートリッジ１Ａに収納されているメディア２のほぼ全面を、迅速に露出させることが可能である。
【００３９】
なお、前記メディアカートリッジ１Ａをイジェクトさせる際には、装填部１０内に設けられた図示しない排出手段が利用される。すなわち、ケース３が前記図示しない排出手段により押されて、図示Ｙ１側の排出方向に移動させられる。
【００４０】
このときにも、前記ピニオンギヤ５の小径歯車５ｂが装填部１０側に設けられた第２のラック１１Ａ上を排出方向に向かって転動し、且つ大径歯車５ａが第１のラック７Ａに噛み合いながら転動する。このため、前記シャッタ６をＹ１側の閉じる方向（排出方向）に、前記ケース３の移動に先行して移動させることができる。
【００４１】
すなわち、ケース３を前記排出方向にわずかに移動させるだけで、シャッタ６を元の閉鎖状態に戻すことができる。よって、メディアカートリッジ１Ａを短時間で元の閉鎖状態に戻すことが可能である。
【００４２】
すなわち、前記第１の実施の形態では、前記ピニオンギヤ５、第１のラック７Ａおよび第２のラック１１Ａが、前記シャッタ６を前記ケース３の移動に先行して移動させる移動機構を構成している。
【００４３】
なお、図２のＣに示すように、メディアカートリッジ１Ａの挿入が終了すると、駆動装置側に設けられた再生機構２０が前記ケース３の上部位置に移動させられる。前記再生機構２０は、光源、コリメートレンズ、ミラーアクチュエータおよび撮像装置など（いずれも図示せず）を備えている。再生機構２０がケース３内のメディア２に対向する状態に設定され、光源から再生光が出力され所定の再生動作が行われることにより、メディア２に記録されているデータ情報が前記撮像装置を介して読み出すことが可能とされている。第１の実施の形態では、ケース３よりもシャッタ６の方が装置奥部に移動させられるため、前記再生機構２０は装置手前側（Ｙ１側）に配置される。
【００４４】
図３は本発明の第２の実施の形態としてのメディアカートリッジを正面から見たときの部分断面図、図４は図３のメディアカートリッジの動作を段階的に示す図３のIＶ−IＶ線における断面図であり、Ａは装填部へ挿入直後の状態、Ｂは挿入途中の状態、Ｃは挿入終了時の状態を示している。なお、上記第１の実施の形態に示すメディアカートリッジ１Ａと同一の部材については、同一の符号を付して説明する。
【００４５】
図３に示すメディアカートリッジ１Ｂも、メディア２を保持する有底のケース３と、ケース３の天面を覆うシャッタ６とを有している。なお、前記メディア２は上記第１の実施の形態と同様である。
【００４６】
前記ケース３の側面３Ａの上端には、図示Ｘ１方向に水平（断面Ｌ字状）に延びるラック部３Ｂが一体に形成されている。前記ラック部３Ｂの下面（Ｚ２側の面）には、紙面に対し直交する移動方向（Ｙ方向）に沿って形成された第１のラック７Ｂが設けられている。
【００４７】
前記シャッタ６は図示しない機構により、前記ケース３に対し相対的にスライド移動できるように構成されている。なお、前記スライドの方向は、紙面に対し直交する移動方向（Ｙ方向）である。
【００４８】
前記シャッタ６のＸ方向の幅寸法は、前記ケース３よりも幅広に形成されている。前記シャッタ６の側面６Ａは図示Ｚ２方向に折り曲げられており、前記側面６Ａと前記ケース３の側面３Ａとが対向する部分にはスペースＳが設けられている。
【００４９】
前記シャッタ６の側面６Ａには、前記スペースＳ内を図示Ｘ２方向に沿って水平に延びる支持軸４が固定されている。そして、この支持軸４上で、且つ前記スペースＳ内には、ピニオンギヤ５が回転自在に支持されている。前記ピニオンギヤ５は、大径歯車５ａと小径歯車５ｂとが一体に形成された２段式のギヤである。そして、上記第１の実施の形態同様に、前記ピニオンギヤ５を構成する大径歯車５ａのピッチ円の半径Ｒａは、小径歯車５ｂのピッチ円の半径Ｒｂよりも大きい（Ｒａ＞Ｒｂ）。
【００５０】
図３に示すように、前記大径歯車５ａは前記第１のラック７Ｂに噛み合わされている。このため、前記ピニオンギヤ５が回転すると、前記大径歯車５ａが前記第１のラック７Ｂ上を転動する。このとき、ケース３とシャッタ６とは紙面と直交する移動方向（Ｙ方向）に相対的に移動する関係にある。
【００５１】
図３および図４のＡに示すように、前記メディアカートリッジ１Ｂは、駆動装置の装填部１０上の所定の位置に装填される。このとき、上記第１の実施の形態同様に前記ピニオンギヤ５の小径歯車５ｂが、装填部１０に設けられている第２のラック１１Ａに噛み合う。
【００５２】
ここで、図４のＢに示すように、シャッタ６のみに押し込み力Ｆを与えて、前記シャッタ６を挿入方向（Ｙ２方向）に押し込むと、前記ピニオンギヤ５は、前記小径歯車５ｂが第２のラック１１Ａ上を転動しながら挿入方向に移動させられる。このとき、前記ピニオンギヤ５の大径歯車５ａの回転速度は、前記小径歯車５ｂよりもＲａ／Ｒｂ倍（Ｒａ／Ｒｂ＞１）の回転速度となる。
【００５３】
よって、ケース３のラック部３Ｂに形成された前記第１のラック７Ｂを、前記押し込み時の移動速度よりも早い移動速度で、前記挿入方向（Ｙ２方向）に移動させることができる。よって、前記ケース３が、前記大径歯車５ａによって前記シャッタ６の移動に先行して図示Ｙ２側の挿入方向に移動させられる。
【００５４】
そして、図４のＣに示すように、前記装填部１０に装填したメディアカートリッジ１Ｂのシャッタ６を、図示Ｙ２側の挿入方向に所定距離移動させるだけで、ケース３を大きく移動させることができ、ケース３の内部に設けられたメディア２のほぼ全面を露出させることが可能である。
【００５５】
すなわち、前記第２の実施の形態では、前記ピニオンギヤ５、第１のラック７Ｂおよび第２のラック１１Ａが、前記ケース３を前記シャッタ６の移動に先行して移動させる移動機構を構成している。
【００５６】
また前記メディアカートリッジ１Ｂでは、上記同様にイジェクトさせる際にも前記シャッタ６の排出方向（Ｙ１方向）への移動に先行して前記ケース３を閉じる方向（排出方向）に移動させることができる。このため、イジェクト時においてもメディアカートリッジ１Ｂを短時間で元の閉鎖状態に戻すことが可能である。
【００５７】
なお、図４のＣに示すように、メディアカートリッジ１Ｂの挿入が終了すると、駆動装置側に設けられた再生機構２０が前記ケース３の上部位置に移動させられる。そして、再生機構２０がケース３内のメディア２に対向する状態に設定され、再生光の発光など所定の再生動作が行われることにより、メディア２に記録されているデータ情報の読み出しが行われる。第２の実施の形態では、シャッタ６よりもケース３の方が装置奥部に移動させられる構成であるため、前記再生機構２０は装置奥側（Ｙ２側）に設けられる。
【００５８】
図５は本発明の第３の実施の形態としてのメディアカートリッジを正面から見たときの部分断面図、図６はメディアカートリッジの動作を段階的に示す図５のＶI−ＶI線における断面図であり、Ａは装填部へ挿入直後の状態、Ｂは挿入途中の状態、Ｃは挿入終了時の状態である。なお、上記第１及び第２の実施の形態に示すメディアカートリッジ１Ａ及び１Ｂと同一の部材については、同一の符号を付して説明する。
【００５９】
図５に示すように、第３の実施の形態に示すメディアカートリッジ１Ｃも、メディア２を保持する有底のケース３と、ケース３の天面部分を覆うシャッタ６とを有している。なお、前記メディア２は上記第１及び第２の実施の形態と同様である。
【００６０】
前記シャッタ６は図示しない機構により、前記ケース３に対し相対的にスライド移動できるように構成されている。なお、前記スライドの方向は、紙面に対し直交する移動方向（Ｙ方向）である。
【００６１】
図５に示すように、前記シャッタ６のＸ方向の幅寸法は、前記ケース３よりも幅広に形成されている。前記シャッタ６の下面で、且つ前記ケース３からＸ１方向に突出した位置には、紙面に対し直交する移動方向（Ｙ方向）に延びる第１のラック７Ｃが形成されている。
【００６２】
前記ケース３の側面３Ａの上端には、図示Ｘ１方向に水平（断面Ｌ字状）に延びるラック部３Ｂが一体に形成されている。そして、前記ラック部３Ｂの下面（Ｚ２側の面）には紙面に対し直交する移動方向（Ｙ方向）に延びる第２のラック１１Ｃが形成されている。
【００６３】
一方、メディア２を再生するための駆動装置側の装填部１０には、支持部１０ａが設けられている。前記支持部１０ａには保持穴１０ｂが形成されており、この保持穴１０ｂにはピニオンギヤ５が設けられている。前記ピニオンギヤ５は大径歯車５ａと小径歯車５ｂとが一体に形成された２段式のギヤであり、第３の実施の形態では前記ピニオンギヤ５の中心に支持軸４が一体に形成されている。そして、前記支持軸４が前記保持穴１０ｂに挿通されることにより、前記ピニオンギヤが回転自在に支持されている。なお、第１及び第２の実施の形態同様に、前記ピニオンギヤ５を構成する大径歯車５ａのピッチ円の半径Ｒａは、小径歯車５ｂのピッチ円の半径Ｒｂよりも大きい（Ｒａ＞Ｒｂ）。
【００６４】
次に、メディアカートリッジ１Ｃの動作について説明する。
図５および図６のＡに示すように、前記メディアカートリッジ１Ｃは、駆動装置の装填部１０上の所定の位置に装填される。このとき、前記ピニオンギヤ５の前記大径歯車５ａが前記第１のラック７Ｃに噛み合い、前記小径歯車５ｂが前記第２のラック１１Ｃに噛み合う。
【００６５】
図６のＢに示すように、ケース３のみに押し込み力Ｆを与えて、前記シャッタ６を挿入方向（Ｙ２方向）に押し込むと、前記小径歯車５ｂａが前記第２のラック１１Ｃに噛み合うとともに前記第２のラック１１Ｃ上を転動する。同時に、前記大径歯車５ａが前記第１のラック７Ｃに噛み合って前記第１のラック７Ｃ上を転動する。これにより、前記ケース３および前記シャッタ６は紙面と直交する移動方向（Ｙ２方向）に移動させられる。
【００６６】
ただし、前記大径歯車５ａの回転速度と前記小径歯車５ｂの回転速度との間には前記半径Ｒａ，Ｒｂの寸法差に基づく速度差が生じる。すなわち、前記大径歯車５ａの回転速度は、前記小径歯車５ｂよりもＲａ／Ｒｂ倍（Ｒａ／Ｒｂ＞１）の回転速度となる。このため、前記シャッタ６を、前記押し込み時の移動速度よりも早い移動速度で、すなわちケース３よりも早い速度で前記挿入方向（Ｙ２方向）に移動させることができる。よって、前記シャッタ６を、前記ケース３の移動に先行して図示Ｙ２側の挿入方向に移動させることができる。
【００６７】
しかも、図６のＣに示すように、前記装填部１０に装填したメディアカートリッジ１Ｃのケース３を、図示Ｙ２側の挿入方向に所定距離移動させるだけで、シャッタ３を長い距離移動させることができ、ケース３の内部に設けられたメディア２のほぼ全面を露出させることができる。
【００６８】
すなわち、前記第３の実施の形態では、前記大径歯車５ａと小径歯車５ｂとを有するピニオンギヤ５、前記第１のラック７Ｃおよび前記第２のラック１１Ｃが、前記シャッタ６を前記ケース３の移動に先行して移動させる移動機構を構成している。
【００６９】
また前記メディアカートリッジ１Ｃでは、上記同様にイジェクトさせる際にも前記ケース３の排出方向（Ｙ１方向）への移動に先行して前記シャッタ６を閉じる方向（排出方向）に移動させることができる。このため、メディアカートリッジ１Ｂを短時間で元の閉鎖状態に戻すことが可能であり、イジェクト時にはシャッタ６が閉じられた状態のメディアカートリッジ１Ｃを取り出すことができる。
【００７０】
図６のＣに示すように、第３の実施の形態では、第１の実施の形態同様に、前記メディアカートリッジ１Ｃの挿入が終了すると、前記装填部１０の手前側に設けられた再生機構２０が前記ケース３の上部位置に移動させられる。そして、再生機構２０がケース３内のメディア２に対向する状態に設置され、再生光の発光など所定の再生動作が行われることにより、メディア２に記録されているデータ情報の読み出しが行われる。
【００７１】
なお、第３の実施の形態では、シャッタ６よりもケース３の方が装置奥部に移動させられる構成であるため、第１の実施の形態同様に前記再生機構２０は装置の手前側（Ｙ１側）に配置される。
【００７２】
以上のように、本願発明のメディアカートリッジ１Ａ，１Ｂ，１Ｃでは、操作者が手動でメディアカートリッジ１Ａ，１Ｂ，１Ｃを装填部１０に押し入れたときに、ケース３とシャッタ６との一方を他方に対して先行して移動させることが可能である。このため、前記ケース３またはシャッタ６の一方をわずかに押し込むだけで、他方を大きく移動させることができる。よって、前記ケース３とシャッタ６との間の開閉動作を迅速に行うことができる。このため、操作者に与える負担を軽減することが可能である。
【００７３】
また本発明は、従来のようにカートリッジの移動中に開閉機構でシャッタを保持する構成ではないため、あらかじめ前記シャッタを退避させるための退避領域を、前記メディアカートリッジ側に確保する必要がない。よって、メディアカートリッジ１Ａ，１Ｂ，１Ｃを小型化することが可能である。
【００７４】
なお、前記ピニオンギヤ５を構成する前記大径歯車５ａのピッチ円の半径Ｒａと、前記小径歯車５ｂのピッチ円の半径Ｒｂとの径寸法比Ｒａ／Ｒｂの設定を変えることにより、ケース３またはシャッタ６の開閉動作の速度を所望の速度に変更することが可能である。
【図面の簡単な説明】
【００７５】
【図１】本発明の第１の実施の形態としてのメディアカートリッジを正面から見たときの部分断面図、
【図２】メディアカートリッジの動作を段階的に示す図１のII−II線における断面図であり、Ａは装填部へ挿入直後の状態、Ｂは挿入途中の状態、Ｃは挿入終了時の状態、
【図３】本発明の第２の実施の形態としてのメディアカートリッジを正面から見たときの部分断面図、
【図４】メディアカートリッジの動作を段階的に示す図３のIＶ−IＶ線における断面図であり、Ａは装填部へ挿入直後の状態、Ｂは挿入途中の状態、Ｃは挿入終了時の状態、
【図５】本発明の第３の実施の形態としてのメディアカートリッジを正面から見たときの部分断面図、
【図６】メディアカートリッジの動作を段階的に示す図５のＶI−ＶI線における断面図であり、Ａは装填部へ挿入直後の状態、Ｂは挿入途中の状態、Ｃは挿入終了時の状態、
【符号の説明】
【００７６】
１Ａ，１Ｂ  メディアカートリッジ
２  メディア（記録媒体）
３  ケース
４  支持軸
５  ピニオンギヤ
５ａ  大径歯車
５ｂ  小径歯車
６  シャッタ
６Ａ  シャッタの側面
７Ａ，７Ｂ，７Ｃ  第１のラック
１０  駆動装置の装填部
１１Ａ，１１Ｃ  第２のラック
２０  再生機構
Ｒａ  大径歯車のピッチ円の半径
Ｒｂ  小径歯車のピッチ円の半径
Ｒａ／Ｒｂ  径寸法比
【図１】
2010003327.tif 000003
【図２】
2010003327.tif 000004
【図３】
2010003327.tif 000005
【図４】
2010003327.tif 000006
【図５】
2010003327.tif 000007
【図６】
2010003327.tif 000008